(57)【要約】【課題】  既存の電話機に本発明装置を接続する事により、ハンズフリー通話ができる簡易電話会議装置を提供することにある。【解決手段】  既存の電話機本体４と送受話器６の間に簡易電話会議装置を挿入することにより、既存の電話機の呼制御を使用した電話会議を実現する。このとき、電話機本体４と送受話器６間の電気信号レベルを、レベル計測部５６で計測し、マイク５１からエコーキャンセル部５３を介し、電話機本体４への電気信号レベルが同じになるように、レベル制御部５４で電気信号レベルを制御する。【選択図】  図２
2008072529.tif 000002
【特許請求の範囲】
【請求項１】
電話回線に接続される電話機の本体とハンドセットの間に挿入する電話会議装置であって、前記電話機本体のハンドセット接続部と接続する電話機本体接続手段と、前記ハンドセットと接続するハンドセット接続手段と、ハンズフリーで電話会議を行うためのハンズフリー音声入出力手段と、電話会議時に前記ハンドセットを該電話機本体から切離すハンドセット切離し手段を具備したことを特徴とする簡易電話会議装置。
【請求項２】
請求項１に記載の簡易電話会議装置であって、電話機本体とハンドセット間の電気信号レベルを測定する手段をさらに具備し、ハンズフリー通話時に前記電話機本体とハンドセット間の電気信号レベルを同レベルに制御することを特徴とする簡易電話会議装置。
【発明の詳細な説明】
【技術分野】
【０００１】
本発明は、音声入出力装置からの信号を電話回線経由で電話会議相手に送信するシステムにおいて、呼制御機能を有する既存の電話機を流用する機能を有する簡易電話会議装置に関するものである。
【背景技術】
【０００２】
従来の電話会議装置の場合、音声のハンズフリー入出力機能とともに電話会議を行う相手と接続するための呼制御機能を有するのが通例である（例えば特許文献１）。
【０００３】
しかし、電話会議装置に呼制御機能を内蔵すると、電話会議装置が複雑となり、装置価格も高価な物となっていた。
【０００４】
また、電話機自体に三者通話機能およびハンズフリー通話機能等を有する電話会議対応のものもあるが、この電話機を導入すると既存の非電話会議対応の電話機が無駄になるという欠点があった。
【特許文献１】特開２００５−３３３４４６号公報
【発明の開示】
【発明が解決しようとする課題】
【０００５】
本発明の課題は、既存の電話機に本発明装置を接続する事により、ハンズフリー通話が出来る簡易電話会議装置を提供することにある。
【課題を解決するための手段】
【０００６】
上記課題を解決するために、本発明は、電話回線に接続される電話機の本体とハンドセットの間に挿入する電話会議装置であって、前記電話機本体のハンドセット接続部と接続する電話機本体接続手段と、前記ハンドセットと接続するハンドセット接続手段と、ハンズフリーで電話会議を行うためのハンズフリー音声入出力手段と、電話会議時に前記ハンドセットを該電話機本体から切離すハンドセット切離し手段を具備したことを特徴とする。また、前記簡易電話会議装置であって、電話機本体とハンドセット間の電気信号レベルを測定する手段をさらに具備し、ハンズフリー通話時に前記電話機本体とハンドセット間の電気信号レベルを同レベルに制御することを特徴とする。
【発明の効果】
【０００７】
本発明によれば、既存の電話機をそのまま流用して簡易に電話会議をするための装置を提供できる。
【発明を実施するための最良の形態】
【０００８】
以下、送受話器を使用した通話機能を有した電話機を例にして本発明の構成を説明する。なお、この電話機は一例であって、本発明は電話回線に接続して送受話器を使用した通話機能を有する電話装置一般に適用可能である。
【０００９】
図１は、本発明の簡易電話会議装置５を適用した実施例のシステム構成図である。本発明にかかる簡易電話会議装置５は、電話機本体４を介して電話回線３に接続される。また、この簡易電話会議装置５の配下には、本来電話機本体４に接続される送受話器６が接続される。簡易電話会議装置５のマイク１０とスピーカ１１の音声信号は、電話機本体４と電話回線３と交換機２を経由して通話相手１と送受信される。
【００１０】
図２は、本発明の簡易電話会議装置５のブロック構成図である。
【００１１】
簡易電話会議装置５は、マイク５１と、スピーカ５２と、エコーキャンセル部５３と、レベル制御部５４と、切り替え部５５と、レベル計測部５６と、制御部５７を有して構成される。
【００１２】
簡易電話会議装置５を機能させない場合は、電話回線３及び電話機本体４の中を流れる電話音声信号は、切り替え部５５を通過し送受話器６に達する。
【００１３】
切り替え部５５は、送受話器６を使用した通話と、レベル制御器５４と、エコーキャンセル部５３を通し、マイク５１と、スピーカ５２を使用した電話会議に切り替える回路である。
【００１４】
レベル計測部５６は、電話機本体４と、送受話器６が接続された状態での電気信号のレベルを測定する回路である。
【００１５】
レベル制御部５４は、簡易電話会議装置５のマイク５１と、スピーカ５２を使用した会議通話時の電話機本体４への電気信号を送受話器６からの電気信号のレベルと同等となるように調整する機能を持った回路である。
【００１６】
制御部５７は、レベル計測部５６で計測した送受話器６から電話機本体４への電気信号のレベルと、簡易電話会議装置５のマイク５１と、スピーカ５２を使用した会議通話時の電話機本体４への電気信号を送受話器６からの電気信号のレベルと同等になるように、レベル制御部を制御する機能を持った回路である。
【００１７】
エコーキャンセル部５３は、電話機本体４を経由して来る通話の相手からの信号と、マイク５１から入力される信号の周波数成分を比較し、同じ周波数のエコーであればキャンセルする機能を持った回路である。
【００１８】
本装置の実現手段について、図１及び図２を用いて説明する。既存の電話機本体と送受話器間の電気信号レベルは機種毎に異なるため、送受話器６からの電気信号レベルをレベル計測部５６で計測し、簡易電話会議装置５を使った電話会議を行う場合、マイク５１からエコーキャンセル部５３を介し、切り替え部１４と、電話機本体４への電気信号レベルを同じになるように、レベル制御部５４で電気信号レベルを制御する。
【００１９】
以上説明したように、簡易電話会議装置５を電話機本体４と送受話器６の間に挿入することにより、既存の電話機の呼制御を使用した電話会議を実現することが出来る。
【００２０】
なお、多地点との電話会議を実施するには、多地点との呼制御が可能な多地点電話会議装置を導入するか、通信業者等が提供する多地点電話会議サービスを利用すればよい。
【００２１】
さらに、本装置は電話会議用途以外に相手と一対一の通常通話時にも適用可能であり、ハンズフリー通話に対応していない既存の電話機にハンズフリー通話機能を付与できる。
【図面の簡単な説明】
【００２２】
【図１】本発明の簡易電話会議装置を適用したシステム構成図
【図２】本発明の簡易電話会議装置の内部構成ブロック図
【符号の説明】
【００２３】
１    通話相手
２    交換機
３    電話回線
４    電話機本体
５    本発明の簡易電話会議装置
５１  マイク
５２  スピーカ
５３  エコーキャンセル部
５４  レベル制御部
５５  切り替え部
５６  レベル計測部
５７  制御部
６    送受話器
【図１】
2008072529.tif 000003
【図２】
2008072529.tif 000004